(57)【要約】【課題】  セレーション嵌合部又はスプライン嵌合部を介して外部駆動源の回転動力を空調用圧縮機の回転軸に伝達する動力伝達機構であって、工作誤差、組付誤差等により惹起される構成部材の圧縮機回転軸に対する揺動運動が抑制された動力伝達機構を提供する。【解決手段】  セレーション嵌合部を介して外部駆動源の回転動力を空調用圧縮機の回転軸に伝達する動力伝達機構であって、外部駆動源により回転駆動される回転体の一部と空調用圧縮機の回転軸とがセレーション嵌合すると共に、前記回転体の他の一部と空調用圧縮機の回転軸とが圧入嵌合する。【選択図】  図２
2005090565.tif 000002
【特許請求の範囲】
【請求項１】
セレーション嵌合部を介して外部駆動源の回転動力を空調用圧縮機の回転軸に伝達する動力伝達機構であって、外部駆動源により回転駆動される回転体の一部と空調用圧縮機の回転軸とがセレーション嵌合すると共に、前記回転体の他の一部と空調用圧縮機の回転軸とが圧入嵌合することを特徴とする動力伝達機構。
【請求項２】
スプライン嵌合部を介して外部駆動源の回転動力を空調用圧縮機の回転軸に伝達する動力伝達機構であって、外部駆動源により回転駆動される回転体の一部と空調用圧縮機の回転軸とがスプライン嵌合すると共に、前記回転体の他の一部と空調用圧縮機の回転軸とが圧入嵌合することを特徴とする動力伝達機構。
【請求項３】
動力伝達機構は電磁クラッチであり、回転体は電磁クラッチのアーマチュアボスであることを特徴とする請求項１又は２に記載の動力伝達機構。
【発明の詳細な説明】
【技術分野】
【０００１】
本発明は、セレーション嵌合部又はスプライン嵌合部を介して外部駆動源の回転動力を空調用圧縮機の回転軸に伝達する動力伝達機構に関するものである。
【背景技術】
【０００２】
セレーション嵌合部又はスプライン嵌合部を介して外部駆動源の回転動力を空調用圧縮機の回転軸に伝達する動力伝達機構が特許文献１、２等に開示されている。
特許文献１、２等に開示された従来の動力伝達機構は、無端ベルトを介して外部駆動源に接続されると共に空調用圧縮機のハウジングに回転可能に支持された磁性材料製のローターと、空調用圧縮機のハウジングに固定され通電によりローターを磁化させる電磁コイルと、ローターに対向して配設され、磁化されたローターに吸着されるアーマチュアとを備えている。アーマチュアボスと、空調用圧縮機の回転軸先端部とがセレーション嵌合又はスプライン嵌合している。前記回転軸の先端に螺合するナットが締めつけられて、アーマチュアボスが、前記回転軸のセレーションに隣接する径方向段差部と前記ナットとに挟持されている。
無端ベルトを介して外部駆動源からローターへ回転動力が伝達され、アーマチュアの吸着部を介してローターからアーマチュアへ回転動力が伝達され、セレーション嵌合部又はスプライン嵌合部を介してアーマチュアから圧縮機回転軸に回転動力が伝達される。アーマチュアボスが、圧縮機回転軸のセレーションに隣接する径方向段差部と前記回転軸に螺合するナットとに挟持されることにより、アーマチュアの圧縮機回転軸からの離脱が防止される。
【特許文献１】特開平９−１６６０９６
【特許文献２】特開平９−２４４１３３
【発明の開示】
【発明が解決しようとする課題】
【０００３】
工作誤差や組み付け誤差等により、圧縮機回転軸に対してアーマチュアが直角に組付けられない場合や、圧縮機回転軸に対してローターが直角に組付けられずローターに吸着されたアーマチュアが圧縮機回転軸に対して直角に延在しない場合がある。アーマチュアと圧縮機回転軸との間のセレーション嵌合又はスプライン嵌合は隙間嵌めであり、セレーション間又はスプライン間に微小隙間があるので、圧縮機回転軸に対してアーマチュアが直角に延在していないと、動力伝達機構の作動時に、アーマチュアの回転によって生ずる遠心力が形成するモーメントにより、アーマチュアが圧縮機回転軸に対して揺動し、セレーション又はスプラインの磨耗、ナットの緩み等を引き起こす。
【０００４】
本発明は上記問題に鑑みてなされたものであり、セレーション嵌合部又はスプライン嵌合部を介して外部駆動源の回転動力を空調用圧縮機の回転軸に伝達する動力伝達機構であって、工作誤差、組付誤差等により惹起される構成部材の圧縮機回転軸に対する揺動運動が抑制された動力伝達機構を提供することを目的とする。
【課題を解決するための手段】
【０００５】
上記課題を解決するために、本発明においては、セレーション嵌合部を介して外部駆動源の回転動力を空調用圧縮機の回転軸に伝達する動力伝達機構であって、外部駆動源により回転駆動される回転体の一部と空調用圧縮機の回転軸とがセレーション嵌合すると共に、前記回転体の他の一部と空調用圧縮機の回転軸とが圧入嵌合することを特徴とする動力伝達機構を提供する。
また本発明においては、スプライン嵌合部を介して外部駆動源の回転動力を空調用圧縮機の回転軸に伝達する動力伝達機構であって、外部駆動源により回転駆動される回転体の一部と空調用圧縮機の回転軸とがスプライン嵌合すると共に、前記回転体の他の一部と空調用圧縮機の回転軸とが圧入嵌合することを特徴とする動力伝達機構を提供する。
本発明に係る動力伝達機構においては、外部駆動源により回転駆動される回転体の一部と空調用圧縮機の回転軸とが圧入嵌合することにより、回転体の圧縮機回転軸に対する揺動運動が抑制される。
【０００６】
本発明の好ましい態様においては、動力伝達機構は電磁クラッチであり、回転体は電磁クラッチのアーマチュアボスである。
本発明は電磁クラッチに適用可能である。
【発明の効果】
【０００７】
本発明に係る動力伝達機構においては、外部駆動源により回転駆動される回転体の一部と空調用圧縮機の回転軸とが圧入嵌合することにより、回転体の圧縮機回転軸に対する揺動運動が抑制され、回転体と圧縮機回転軸とのセレーション嵌合部やスプライン嵌合部の磨耗、圧縮機回転軸に螺合するナットの緩みなどが抑制される。
【発明を実施するための最良の形態】
【０００８】
本発明の実施例に係る動力伝達機構を説明する。
【実施例１】
【０００９】
本発明の第１実施例に係る動力伝達機構を説明する。
図１、２に示すように、動力伝達機構、具体的には電磁クラッチは、図示しない無端ベルトを介して図示しない外部駆動源に接続されると共に空調用圧縮機のハウジングＡに回転可能に支持された磁性材料製のローター１と、空調用圧縮機のハウジングＡに固定され通電によりローター１を磁化させる電磁コイル２と、ローター１に対向して配設され、磁化されたローターに吸着されるアーマチュア３とを備えている。
アーマチュアボス３ａの一端部３ａ′と空調用圧縮機の回転軸４先端部とが、セレーション嵌合又はスプライン嵌合している。アーマチュアボス３ａの他端部３ａ″と、回転軸４のセレーション又はスプライン４ａに隣接する部位４ｂとが、より具体的には回転軸４のボブ切上げ部４ｂに形成された径方向膨出部４ｃとが、圧入嵌合している。回転軸４のセレーション又はスプライン４ａから離隔する側で径方向膨出部４ｃに隣接する部位に、径方向段差部４ｄが形成されている。
回転軸４の先端に螺合するナット５が締めつけられている。アーマチュアボス３ａは、回転軸４の径方向段差部４ｄとナット５とに挟持されている。アーマチュアボス３ａと回転軸４の径方向段差部４ｄとの間に、ローター１とアーマチュア３との間のエアギャップ調整用シム６が介装されている。
【００１０】
上記動力伝達機構においては、図示しない無端ベルトを介して図示しない外部駆動源からローター１へ回転動力が伝達され、アーマチュア３の吸着部を介してローター１からアーマチュア３へ回転動力が伝達され、セレーション嵌合部又はスプライン嵌合部を介してアーマチュア３から圧縮機回転軸４に回転動力が伝達される。アーマチュアボス３ａが、圧縮機回転軸４の径方向段差部４ｄと回転軸４に螺合するナット５とに挟持されることにより、アーマチュア３の圧縮機回転軸４からの離脱が防止される。
上記動力伝達機構においては、アーマチュアボスの他端部３ａ″と空調用圧縮機回転軸４の径方向膨出４ｃとが圧入嵌合することにより、図２に白抜矢印で示すアーマチュア３の圧縮機回転軸４に対する揺動運動が抑制される。従って、工作誤差や組み付け誤差等により、圧縮機回転軸４に対してアーマチュア３が直角に組付けられない場合や、圧縮機回転軸４に対してローター１が直角に組付けられずローター１に吸着されたアーマチュア３が圧縮機回転軸４に対して直角に延在しない場合であって、アーマチュア３の回転によって生ずる遠心力が形成するモーメントにより、アーマチュア３が圧縮機回転軸４に対して揺動付勢されても、アーマチュア３の圧縮機回転軸４に対する揺動運動は抑制される。この結果、アーマチュアボス３ａと回転軸４とに形成されたセレーション又はスプラインの磨耗、シム６の磨耗、ナット５の緩み等が抑制される。
【実施例２】
【００１１】
本発明の第２実施例に係る動力伝達機構を説明する。
図３に示すように、アーマチュアボス３ａの一端部３ａ′と空調用圧縮機の回転軸４先端部とが、セレーション嵌合又はスプライン嵌合している。アーマチュアボス３ａの他端部３ａ″と、回転軸４のセレーション又はスプライン４ａに隣接するボブ逃げ小径部４ｅに隣接して形成された径方向膨出部４ｆとが、圧入嵌合している。回転軸４のセレーション又はスプライン４ａから離隔する側で径方向膨出部４ｆに隣接する部位に、径方向段差部４ｄが形成されている。
上記を除いて、本実施例に係る動力伝達機構の構成は第１実施例に係る動力伝達機構の構成と同一である。
【００１２】
上記動力伝達機構においては、アーマチュアボスの他端部３ａ″と空調用圧縮機回転軸４の径方向膨出４ｆとが圧入嵌合することにより、図３に白抜矢印で示すアーマチュア３の圧縮機回転軸４に対する揺動運動が抑制される。従って、工作誤差や組み付け誤差等により、圧縮機回転軸４に対してアーマチュア３が直角に組付けられない場合や、圧縮機回転軸４に対してローター１が直角に組付けられずローター１に吸着されたアーマチュア３が圧縮機回転軸４に対して直角に延在しない場合であって、アーマチュア３の回転によって生ずる遠心力が形成するモーメントにより、アーマチュア３が圧縮機回転軸４に対して揺動付勢されても、アーマチュア３の圧縮機回転軸４に対する揺動運動は抑制される。この結果、アーマチュアボス３ａと回転軸４とに形成されたセレーション又はスプラインの磨耗、シム６の磨耗、ナット５の緩み等が抑制される。
【産業上の利用可能性】
【００１３】
本発明はセレーション嵌合部又はスプライン嵌合部を介して外部駆動源の回転動力を空調用圧縮機の回転軸に伝達する動力伝達機構に広く適用可能である。
【図面の簡単な説明】
【００１４】
【図１】本発明の第１実施例に係る動力伝達機構の断面図である。
【図２】図１の部分拡大図である。
【図３】本発明の第２実施例に係る動力伝達機構の部分拡大断面図である。
【符号の説明】
【００１５】
１  ローター
２  電磁コイル
３  アーマチュア
３ａ  アーマチュアボス
４  圧縮機回転軸
４ａ  セレーション又はスプライン
４ｄ、４ｆ  径方向膨出部
５  ナット
６  シム
【図１】
2005090565.tif 000003
【図２】
2005090565.tif 000004
【図３】
2005090565.tif 000005